(57)【要約】【課題】天板上には支柱だけを立てて陳列面積を確保し、天井側に商品を覆うフードを付けてお客がどの位置からも商品に直に触れるようにすると共に、清潔感を出すようにしたフード付き商品陳列台を提供すること。【解決手段】フード６が、基台の天板上に立設した２本の支柱５ａ，５ｂ上端の水平支持板１８ａ，１９ａと、この水平支持板１８ａ，１９ａから遊端部側に向かって下方に傾斜した傾斜支持板１８ｂ，１８ｃ及び１９ｂ，１９ｃからなる支持体１８，１９と、水平支持板１８ａ，１９ａ上に取付けられる受溝を有する頂部部材２３と、この受溝に嵌合し傾斜支持板１８ｂ、１９ｂと，傾斜支持板１８ｃ、１９ｃに取付けられる覆板３２ａ，３２ｂとから構成されている。【選択図】  図３
2005040186.tif 000002
【特許請求の範囲】
【請求項１】
基台上に商品陳列用の天板を設けるとともに、該天板上に支柱を立設し、該支柱頂部に陳列商品を上方より覆うフードを設けたフード付き商品陳列台であって、前記フードは、前記支柱上端に設けた水平支持板と、該水平支持板から遊端部側に向かって下方に傾斜した傾斜支持板からなる支持体と、前記水平支持板に取付けられる受溝を有する頂部部材と、前記受溝に嵌合し前記傾斜支持板に取付けられる覆板とで構成されていることを特徴とするフード付き商品陳列台。
【請求項２】
前記支柱は少なくとも２本以上立設し、前記頂部部材は複数の水平支持板に取付けられている請求項１に記載のフード付き商品陳列台。
【請求項３】
前記傾斜支持板は水平支持板の両端部から両方向に傾斜してその双方に覆板が取付けられている請求項１または２に記載のフード付き商品陳列台。
【請求項４】
前記支持体には該支持体と略同一形状の補強体が取付けられ、前記覆板は支持板と補強体の両傾斜支持板で挟持されている請求項１ないし３の何れかに記載のフード付き商品陳列台。
【請求項５】
前記覆板は透明板材である請求項１ないし４の何れかに記載のフード付き商品陳列台。
【請求項６】
前記頂部部材の下面に照明装置を取付けた請求項１ないし５の何れかに記載のフード付き商品陳列台。
【請求項７】
前記頂部部材の下面には商品保温用ウォーマーあるいは商品保冷用クーラーを取付けた請求項１ないし６の何れかに記載のフード付き商品陳列台。
【発明の詳細な説明】
【０００１】
【発明の属する技術分野】
本発明は、基台上に商品陳列用の天板を設けるとともに、この天板上に支柱を立設し、支柱頂部に陳列商品を上方より覆うフードを設けたフード付き商品陳列台に関する。
【０００２】
【従来の技術】
従来、商店やスーパーマーケット、百貨店等の売場において、基台上に設けた商品陳列用の天板の上に商品を並べた陳列台はよく知られている。そしてこの天板上にはお客を誘引するために可変電光掲示板を設けて人目を引くようにしたり（特許文献１参照）、支柱を立設しそこに照明器具を取付けて照明効果により商品を引きたたせるようにしたものもある（特許文献２参照）。
【０００３】
【特許文献１】
登録実用新案第３０３８５８３号公報（段落０００８〜００１６、第１，２頁、図１，２）
【特許文献２】
実公昭６０−３６１２８号公報（第１、２頁、第１図，第２図）
【０００４】
【発明が解決しようとする課題】
しかしながら特許文献１に記載のものは、可変電光掲示板があるために展示面積が狭くなり、しかも可変電光掲示板の裏側からは商品がよく見えない欠点があり、また特許文献２に記載のものは、展示空間を全てショーケースで覆っているためにお客が気軽に手が出しにくい難点があった。
【０００５】
本発明は、このような状況に鑑みてなされたものであり、天板上には支柱だけを立てて陳列面積を確保し、天井側に商品を覆うフードを付けてお客がどの位置からも商品に直に触れるようにすると共に、清潔感を出すようにしたフード付き商品陳列台を提供することを目的とするものである。
【０００６】
【課題を解決するための手段】
上記課題を解決するために、本発明のフード付き商品陳列台は、基台上に商品陳列用の天板を設けるとともに、該天板上に支柱を立設し、該支柱頂部に陳列商品を上方より覆うフードを設けたフード付き商品陳列台であって、前記フードは、前記支柱上端に設けた水平支持板と、該水平支持板から遊端部側に向かって下方に傾斜した傾斜支持板からなる支持体と、前記水平支持板に取付けられる受溝を有する頂部部材と、前記受溝に嵌合し前記傾斜支持板に取付けられる覆板とで構成されていることを特徴としている。
この特徴によれば、天板上には支柱だけが立設しているので陳列面積を確保でき、フードが屋根の如く傾斜しているので、商品を上から覆って保護でき、特に商品が惣菜等の食品であれば、清潔感を保ちながら周りから自由に試食したりすることができる。
【０００７】
本発明のフード付き商品陳列台において、前記支柱は少なくとも２本以上立設し、前記頂部部材は複数の水平支持板に取付けられていることが好ましい。
これによれば、安定したフードを構築できる。
【０００８】
本発明のフード付き商品陳列台において、前記傾斜支持板は水平支持板の両端部から両方向に傾斜して、その双方に覆板が取付けられていることが好ましい。
これによれば、両側に覆板があるので陳列台の釣り合いが良く、壁際でなく広いスペースの中央に置くのに適している。
【０００９】
本発明のフード付き商品陳列台において、前記支持体には該支持体と略同一形状の補強体が取付けられ、前記覆板は支持板と補強体の両傾斜支持板で挟持されていることが好ましい。
これによれば、覆板が両側から挟持されるので、ずれ落ちることなく支柱に確実に固定される。
【００１０】
本発明のフード付き商品陳列台において、前記覆板は透明板材であることが好ましい。
これによれば、覆板が人の目線よりも下にあるときも商品が明確に認識できる。
【００１１】
本発明のフード付き商品陳列台において、前記頂部部材の下面に照明装置を取付けることが好ましい。
これによれば、照明効果により商品を引きたたせるようにすることができる。
【００１２】
本発明のフード付き商品陳列台において、前記頂部部材の下面には商品保温用ウォーマーあるいは商品保冷用クーラーを取付けることが好ましい。
これによれば、商品の内容物によりウォーマーあるいはクーラーを取付けて上方より商品を暖めあるいは冷やすことができる。
【００１３】
【発明の実施形態】
図１は本発明の一実施形態に係るフード付き商品陳列台の斜視図、図２はフード付き商品陳列台における基台上の商品陳列用天板と支柱の分解斜視図、図３はフード付き商品陳列台における天板上に立設する支柱とフードの分解斜視図であり、図４は支柱上端に取付けられたフードの断面図である。
【００１４】
図１に示される１は本発明のフード付き商品陳列台であって、上部に商品陳列用の天板２を設けた基台４と、この天板２上に立設した一対の断面角筒型の支柱５ａ，５ｂと、これら支柱５ａ，５ｂの頂部にあって陳列商品を上方より覆うフード６とから基本的に構成されている。
【００１５】
基台４は側面に板材が張合わされた直方体の箱型に構成されていて、その４隅下面には基台４を移動停止可能に支持する４個のキャスター３が止着されており、基台４上の天板２は平面視矩形状の平坦な板材であって、その４辺には折畳み可能な４枚の補助テーブル８ａ，８ｂ，８ｃ，８ｄが枢着されていて、この補助テーブル８ａ〜８ｄは、不使用時には下方に垂下されると共に使用時には天板２と同一水平面に設定保持することができるように構成されている。
【００１６】
天板２の中央には、所定高さの矩形箱型の上部陳列台１０が設けられており、この上部陳列台１０は、図２に示すように、上部陳列台用天板１２と、この天板１２の長辺側に設けられた側板１４ａ，１４ｂと、短辺側に設けられた端板１５ａ，１５ｂとから構成されている。
【００１７】
そして上部陳列台１０は、その側板１４ａ，１４ｂないし端板１５ａ，１５ｂの下端が天板２の中央に形成された矩形状の貫通角孔２ａから突出するように取着されている。
【００１８】
上部陳列台１０は、天板１２の短辺側両端には一対の角筒型の支柱５ａ，５ｂを挿嵌するための角型切欠き溝１０ａ，１０ｂが形成され、端板１５ａ，１５ｂの中央には切欠き溝１０ａ，１０ｂと同形の角溝１６ａ，１６ｂが上下方向に向けて形成されている。
【００１９】
本実施例のものは、中央に所定高さの上部陳列台１０を設けた構成となっているが、上部陳列台１０を設けずに天板２に形成された矩形状の貫通角孔２ａを図示しない蓋体で閉塞して平坦な天板とし、これを陳列台として用いるようにしてもよい。
【００２０】
次にフード６は、図１、図３および図４に示すように、両支柱５ａ，５ｂの上端に設けた水平支持板１８ａ，１９ａと、この水平支持板１８ａ，１９ａから両遊端部側に向かって下方に傾斜した傾斜支持板１８ｂ，１８ｃおよび１９ｂ，１９ｃからなる支持体１８，１９と、これら支持体１８，１９の水平支持板１８ａ，１９ａ間に取付けられ長手方向前後に一対の受溝２０ａ，２０ｂ（後述する）が形成された頂部部材２３と、これら受溝２０ａ，２０ｂに嵌合し傾斜支持板１８ｂ，１８ｃおよび１９ｂ，１９ｃに取付けられる覆板３２ａ，３２ｂとから構成されている。
【００２１】
尚、傾斜支持板１８ｂ，１８ｃおよび１９ｂ，１９ｃは水平支持板１８ａ，１９ａに対して、両側に傾斜して設けられているが、一方側だけに傾斜したものであってもよい。
【００２２】
頂部部材２３は、水平支持板１８ａ，１９ａ間に両側下面が取付けられた山形の下部支持部材２６と、下部支持部材２６の上部に溶接接合され、下部支持部材２６とで長手方向両端側の受溝２０，２０を形成する両側に傾斜片２７ａ、２７ｂが形成された上部支持部材２４とから構成されている。
【００２３】
詳しくは、上部支持部材２４は、長手方向両側を３つに切り離して中央本体２４ａと側端部２４ｂ，２４ｃから成り、これら３部材の切断部分を所定間隔離間配置して下部支持部材２６の上面に溶接接合することで、補強体２８，３０が嵌合可能な２つの補強体案内溝２５ａ，２５ｂが形成される。この補強体２８，３０の形状は支持体１８，１９と同一形状をなし、水平支持部２８ａ，３０ａと、この水平支持部から両遊端部側に向かって下方に傾斜した傾斜支持部２８ｂ，２８ｃおよび３０ｂ、３０ｃとを有している。
【００２４】
覆板３２ａ，３２ｂは、２枚の透明な矩形状に形成された樹脂板から成り、下部支持部材２６と上部支持部材２４間に形成した受講２０にその端縁が嵌挿され、上部支持部材２４上面の補強体案内溝２５ａ，２５ｂに嵌合した補強体２８，３０とその下面の支持体１８，１９とをビスＢ３を介して挟持することによって固定保持される。この場合、補強体を用いずに直接支持体１８，１９の傾斜支持板１８ｂ，１８ｃおよび１９ｂ，１９ｃに固定してもよい。
【００２５】
下部支持部材２６は、その断面形状が中央に突設部２６ａが形成されると共に、この突設部２６ａの幅方向両側には水平な延出部２６ｂ，２６ｃが形成され、これら延出部２６ｂ，２６ｃには、上部支持部材２４の補強体案内溝２５ａ，２５ｂに対応する位置にあり、水平支持板１８ａ，１９ａに形成された２つのねじ孔とビスＢ１，Ｂ２等を介して連結するための挿通ねじ孔Ｈ１，Ｈ２が形成されている。
【００２６】
更に、下部支持部材２６の延出部２６ｂ，２６ｃには、商品保温用ウォーマー２２を複数のビスＢ２により取付けるためのねじ孔Ｈ３が長手方向所定間隔ごとに形成されている。尚、下部支持部材２６の延出部２６ｂ，２６ｃには、図示しない商品保冷用クーラーや照明装置などを取付けるためのねじ孔等を適宜形成することができる。
【００２７】
次に、上記のように構成されたフード付き商品陳列台の組立て手順に付き図２、図３及び図４を参照して説明する。
【００２８】
先ず、上部陳列台１０両端に形成された切欠き溝１０ａ，１０ｂ及び角溝１６ａ，１６ｂに２本の支柱５ａ，５ｂを挿嵌固定して立設し、支柱５ａ，５ｂ上端に溶接接合された支持体１８，１９の水平支持板１８ａ，１９ａ上に頂部部材２３の下部支持部材２６を、ビスＢ１，Ｂ２を介して水平に取付ける。
【００２９】
次いで、両覆板３２ａ，３２ｂの内側端面は、下部支持部材２６両側の水平延出部２６ｂ，２６ｃと上部支持部材２４両側に形成された傾斜片２７ａ、２７ｂとで形成される受溝２０に差込まれると同時に、支持体１８，１９の両傾斜支持板１８ｂ，１８ｃないし１９ｂ，１９ｃ上面に透明な覆板３２ａ，３２ｂを支持し、上部支持部材２４上に離間して形成された補強体案内溝２５ａ，２５ｂに補強体２８，３０の水平支持部２８ａ，３０ａを嵌合することで、覆板３２ａ，３２ｂの上下両面が傾斜支持板１８ｂ，１８ｃ，１９ｂ，１９ｃと傾斜支持部２８ｂ，２８ｃ，３０ｂ，３０ｃにより挟持される（図４参照）。
【００３０】
これにより両覆板３２ａ，３２ｂは、その上下面に配置された傾斜支持板１８ｂ，１８ｃ，１９ｂ，１９ｃと傾斜支持部２８ｂ，２８ｃ及び３０ｂ，３０ｃとをねじ結合することで前後両方向に傾斜したフード６が構成される。
【００３１】
従って、上記のフード付き商品陳列台によれば、天板２上には２本の支柱５ａ，５ｂだけが立設しているので陳列面積を確保でき、フード６が屋根の如く傾斜しているので、商品を上から保護することができ、特に商品が惣菜等の食品であれば、清潔感を保ちながら周りから自由に試食したりすることができる。
【００３２】
また、覆板３２ａ，３２ｂを取付けるための頂部部材２３は、基台４の天板２上に立設した２本の支柱５ａ，５ｂ上端に設けられた複数の水平支持板１８ａ，１９ａ間に取付けられているので、安定したフード６を構築できる。
【００３３】
更に、支持体１８，１９の傾斜支持板１８ｂ，１８ｃおよび１９ｂ，１９ｃは、水平支持板１８ａ，１９ａの両端部から両方向に傾斜して、その双方に覆板３２ａ，３２ｂを取付けるようにすれば、商品陳列台１の釣り合いが良く、壁際でなく広いスペースの中央に置くのに適している。
【００３４】
そして、支持体１８，１９には、これら支持体１８，１９と略同一形状の補強体２８，３０が取付けられ、覆板３２ａ，３２ｂが支持体１８，１９  の傾斜支持板１８ｂ，１８ｃおよび１９ｂ，１９ｃと補強体２８，３０の傾斜支持部２８ｂ，２８ｃ，３０ｂ，３０ｃで挟持されているので、ずれ落ちることなく支柱５ａ，５ｂに確実に固定される。
【００３５】
そしてまた、覆板３２ａ，３２ｂが透明板材で構成されているので、人の目線よりも下にあるときでも商品を明確に認識することができる。
【００３６】
更に、頂部部材２３の下面には、照明装置を取付けることも可能であることから、照明効果により商品を引きたたせるようにすることができ、また、商品保温用ウォーマー２２あるいは商品保冷用クーラー等を取付けることができるので、上方より商品を適宜暖めあるいは冷やすことができる。
【００３７】
【発明の効果】
本発明は以下の効果を奏する。
【００３８】
（ａ）請求項１項の発明によれば、天板上には支柱だけが立設しているので陳列面積を確保でき、フードが屋根の如く傾斜しているので、商品を上から覆って保護でき、特に商品が惣菜等の食品であれば、清潔感を保ちながら周りから自由に試食したりすることができる。
【００３９】
（ｂ）請求項２項の発明によれば、安定したフードを構築できる。
【００４０】
（ｃ）請求項３項の発明によれば、両側に覆板があるので陳列台の釣り合いが良く、壁際でなく広いスペースの中央に置くのに適している。
【００４１】
（ｄ）請求項４項の発明によれば、覆板が両側から挟持されるので、ずれ落ちることなく支柱に確実に固定される。
【００４２】
（ｅ）請求項５項の発明によれば、覆板が人の目線よりも下にあるときも商品が明確に認識できる。
【００４３】
（ｆ）請求項６項の発明によれば、照明効果により商品を引きたたせるようにすることができる。
【００４４】
（ｇ）請求項７項の発明によれば、商品の内容物によりウォーマーあるいはクーラーを取付けて上方より商品を暖めあるいは冷やすことができる。
【図面の簡単な説明】
【図１】本発明の一実施形態に係るフード付き商品陳列台の斜視図である。
【図２】フード付き商品陳列台における基台上の商品陳列用天板と支柱の分解斜視図である。
【図３】フード付き商品陳列台における天板上に立設する支柱とフードの分解斜視図である。
【図４】支柱上端に取付けられたフードの断面図である。
【符号の説明】
１                      商品陳列台
２                      天板
２ａ                    貫通角孔
３                      キャスター
４                      基台
５ａ，５ｂ              支柱
６                      フード
８ａ，８ｂ，８ｃ，８ｄ  補助テーブル
１０                    上部陳列台
１０ａ，１０ｂ          切欠き溝
１２                    上部陳列台用天板
１４ａ，１４ｂ          側板
１５ａ，１５ｂ          端板
１６ａ，１６ｂ          角溝
１８，１９              支持体
１８ａ，１９ａ          水平支持板
１８ｂ，１８ｃ          傾斜支持板
１９ｂ，１９ｃ          傾斜支持板
２０                    受溝
２２                    商品保温用ウォーマー
２３                    頂部部材
２４                    上部支持部材
２４ａ                  中央本体
２４ｂ，２４ｃ          側端部
２５ａ，２５ｂ          補強体案内溝
２６                    下部支持部材
２６ａ                  突設部
２６ｂ，２６ｃ          延出部
２７ａ                  傾斜片
２８ａ，３０ａ          水平支持部
２８ｂ，２８ｃ          傾斜支持部
３０ｂ，３０ｃ          傾斜支持部
２８，３０              補強体
３２ａ，３２ｂ          覆板
Ｂ１，Ｂ２，Ｂ３        ビス
Ｈ１，Ｈ２，Ｈ３        ねじ孔
【図１】
2005040186.tif 000003
【図２】
2005040186.tif 000004
【図３】
2005040186.tif 000005
【図４】
2005040186.tif 000006